(57)【要約】【課題】面倒な手続なしに、いつどこからでも、多数の髪形（ヘアスタイル）がヘアスタイルカタログを閲覧する感覚で閲覧でき、そして選定する髪形が自己に似あうか否かの自己カウンセリングもその場で行なうことができ、また、美容師には、顧客が提示した髪形のデータ情報から、その必要な技術情報を与えて顧客の希望する髪形を施術することを可能にする。【解決手段】髪形情報とその髪形展開図４２を記憶するデータベースサーバ６と、プログラムサーバ７からなるデータベースシステム４と、このデータベースシステム４にインターネット１等を介して接続し、前記髪形情報を検索・閲覧することができる顧客側端末と美容師側端末とからなり、顧客側端末は多数を表示する髪形表示手段、表示した多数の髪形から所望のものを選択して表示する手段、選択した髪形に対して備え付きのカメラ２ａで撮影した自己の顔を重ねあわせて合成画像を作成し、これを表示する手段とを有し、美容師側端末は顧客側端末に表示された合成画像の当該髪形に対応した髪形展開図４２を検索・表示する手段を有する。【選択図】        図１
2005034162.tif 000002
【特許請求の範囲】
【請求項１】
髪形情報とその髪形情報に連動した技術情報としての髪形展開図を記憶するデータベースサーバと、データベースサーバからデータを検出するプログラムを格納したプログラムサーバからなるデータベースシステムと、
このデータベースシステムにインターネット等を介して接続し、前記髪形情報を検索・閲覧することができる顧客側端末と、
同じく前記データベースシステムにインターネット等を介して接続し、前記髪形情報とその髪形情報に連動した技術情報としての髪形展開図を検索・閲覧することができる美容院あるいは美容師の美容師側端末とからなり、
顧客側端末はカメラを備えた携帯電話等のモバイル端末であり、多数を表示する髪形表示手段、表示した多数の髪形から所望のものを選択して表示する手段、選択した髪形に対して備え付きのカメラで撮影した自己の顔を重ねあわせて合成画像を作成し、これを表示する手段とを有し、
美容師側端末は顧客側端末に表示された合成画像の当該髪形に対応した髪形展開図を検索・表示する手段を有することを特徴とした髪形選定システム。
【請求項２】
選択した髪形に対して備え付きのカメラで撮影した自己の顔を重ねあわせて合成画像を作成する手段は、データベースサーバから髪型画像データを画像フレームデータとして顧客側端末にダウンロードして顧客側端末画面に表示し、髪型画像フレームに合わせて自己の顔を重ね合わせて写真を撮ることができる画像フレーム重ね合わせ手段によるものである請求項１記載の髪形選定システム。
【発明の詳細な説明】
【０００１】
【発明の属する技術分野】
この発明は、ヘアサロンを利用する客が事前に自己が気に入り、自己に似合う髪形を簡単に選定し、そうして選択した髪形を美容院に提示すると、美容院は顧客が提示した髪形情報から、必要な技術情報を得ることができる髪形選定システムに関するものである。
【０００２】
【従来の技術】
美容室や理容室（以下、これらを総称して「へアサロン」という）では、一般に、カット、パーマ、ヘアカラー等の施術を行う前に、客とカウンセリングを行って、どのような髪形（ヘアスタイル）にするかを決定している。このカウンセリングでは、客から美容師や理容師（以下、これらを総称して「ヘアスタイリスト」という）に所望の髪形（ヘアスタイル）を説明したり、ヘアスタイリストが客の毛髪の特徴、服装、雰囲気等からどのようなヘアスタイルが似合うかを判断して客に提案したりする。
【０００３】
しかし、客がカウンセリング時に所望のヘアスタイルをヘアスタイリストに的確に伝えることができず、出来あがりのヘアスタイルが望んでいたものと異なってしまうことがあった。
【０００４】
また、カウンセリングを受けずに、客が自分の髪形（ヘアスタイル）を決定する場合の情報として、ヘアスタイルカタログが掲載された雑誌や書籍を購入し、希望するヘアスタイルを美容室へ見せるか、美容室が所有するカタログを見せてもらうなどの方法がある。
【０００５】
インターネットが発達した現在では、このような紙媒体だけでなく、ホームページやサイトなどに、ヘアスタイルカタログを載せる例も多く見られる。
【０００６】
このようにインターネットでヘアスタイルカタログを閲覧できるようになったため、情報の地域格差は無くなりつつあり、客は地方在住でも都会の最新のヘアスタイル情報を手に入れることができるようになった。
【０００７】
しかし、客が自分の選んだヘアスタイルを美容師に提示しても、個々の美容師には技術格差があり、ヘアスタイルの写真や絵を見ただけではカットやパーマの方法が分からない美容師は、客の要望に応える事が出来ない。
【０００８】
下記特許文献１は前記美容師の技術の問題により希望するヘアスタイルを得る事が出来ないという問題に対して、インターネットを利用して複数の理美容室から最適な理美容室を選択し、かつ、選択した理美容室への予約が行えるようにした理美容室選択システムに関するものである。
【０００９】
【特許文献１】
特開２００１−３４４４９２号公報「理美容室選択システム」
【００１０】
この特許文献１では、理美容室の住所等の店舗情報、スタイリスト情報等の必要情報が記憶されているデータベースと、顧客のコンピュータ等の情報端末機から地域、価格、ヘアスタイル等の複数の検索条件が入力されると前記データベースから前記検索条件に合致した理美容室を選択し表示する検索手段とを具備している。
【００１１】
顧客は、インターネットを介して多数の理美容室における店舗属性データ、該店舗におけるスタイリスト属性データ等の各種データを入手できることにより、顧客は自分の気に入った各種条件に合った理美容室を見つけることができる。
【００１２】
さらに、ヘアスタイルアドバイス方法、及びサーバ装置に係わり、特に、ネットワークを介した情報通信によって、ヘアスタイルをアドバイスするヘアスタイルアドバイス方法、及びサーバ装置に関するものとしては下記特許文献２がある。
【００１３】
【特許文献２】
特開２００２−５８５３５号公報「ヘアスタイルアドバイス方法、及びサーバ装置」
【００１４】
この特許文献２は、ユーザの髪質、髪色、顔の形等の個人データをサーバに送信するとサーバは、受信した個人データに基づいて造形分析を行って、ユーザにお薦めヘアスタイルを紹介する。ユーザは、このお薦めヘアスタイルの中に気に入ったヘアスタイルがあれば、そのレシピ情報の提供を受ける。
【００１５】
一方、ヘアサロンは、サーバに対して施術に必要な商品を注文し、サーバはＨＰ運営会社に受注を通知する。そしてＨＰ運営会社から販売店／メーカーに商品の発送が指示され、ヘアサロンに商品が納品される。
【００１６】
ユーザは、前述の受取ったレシピ情報を持ってヘアサロンに行き、ヘアスタイリストにこのレシピ情報に基づいてカット、パーマ、カラーリング等の施術を行ってもらう。
【００１７】
【発明が解決しようとする課題】
特許文献１の方法では、複数の理美容室から最適な理美容室を選択し、かつ、選択した理美容室への予約が行えるようになるだけで、希望するヘアスタイルが見つかったとしても、施術する美容師が属する美容院が顧客の希望地域に無い場合は、希望するヘアスタイルの施術を諦めなければならない。
【００１８】
特許文献２の方法では、顧客（ユーザ）は、サイバーサロンサービスを利用するにあたり、まず、ユーザ登録を行っておく必要があり、しかも、ユーザ登録の済んだ顧客（ユーザ）は、当該ユーザの髪質、髪色、顔の形等の個人データをサーバに送信した上でなければ、サーバから毛髪診断処理の提供を受けることができず、髪形の選定に非常な手間と時間を要する。
【００１９】
この発明の目的は前記従来例の不都合を解消し、面倒な手続なしに、いつどこからでも、多数の髪形（ヘアスタイル）がヘアスタイルカタログを閲覧する感覚で閲覧でき、そして選定する髪形が自己に似あうか否かの自己カウンセリングもその場で行うことができ、また、顧客の指名する美容師が、顧客が選定した希望するヘアスタイルの施行方法を知らなくても、顧客が提示した髪形のデータ情報から、その必要な技術情報を与えて顧客の希望する髪形を施術することを可能にできる髪形選定システムを提供することにある。
【００２０】
【課題を解決するための手段】
請求項１記載のこの発明は前記目的を達成するため、髪形情報とその髪形情報に連動した技術情報としての髪形展開図を記憶するデータベースサーバと、データベースサーバからデータを検出するプログラムを格納したプログラムサーバからなるデータベースシステムと、このデータベースシステムにインターネット等を介して接続し、前記髪形情報を検索・閲覧することができる顧客側端末と、同じく前記データベースシステムにインターネット等を介して接続し、前記髪形情報とその髪形情報に連動した技術情報としての髪形展開図を検索・閲覧することができる美容院あるいは美容師の美容師側端末とからなり、顧客側端末はカメラを備えた携帯電話等のモバイル端末であり、多数を表示する髪形表示手段、表示した多数の髪形から所望のものを選択して表示する手段、選択した髪形に対して備え付きのカメラで撮影した自己の顔を重ねあわせて合成画像を作成し、これを表示する手段とを有し、美容師側端末は顧客側端末に表示された合成画像の当該髪形に対応した髪形展開図を検索・表示する手段を有することを要旨とするものである。
【００２１】
請求項１記載のこの発明によれば、顧客は携帯電話等のモバイル端末を用いて、データベースシステムにインターネット等を介して接続し、どのような場所からでも、自分の希望するヘアスタイルを膨大なヘアスタイルカタログの中からすばやく検索し、見つけ出すことができる。
【００２２】
そして、携帯電話等のモバイル端末に備えるカメラで自己の顔を撮影し、選定した選択した髪形に対して備え付きのカメラで撮影した自己の顔を重ねあわせて合成画像を作成し、これを表示することで、当該髪形が自分に似あうか否かの自己判断または他者の判断を求めることができる。
【００２３】
さらに、このような選択した髪形に対して備え付きのカメラで撮影した自己の顔を重ねあわせた合成画像を美容師に示して美容または理容を依頼するが、顧客としては携帯電話等のモバイル端末を見せるだけで、自分が選択したヘアスタイルを紙などに打ち出すことなく、ペーパーレスで美容師に提示することができる。また、美容師側端末は顧客側端末に表示された合成画像の当該髪形に対応した髪形展開図を検索・表示することができるので、髪形（ヘアスタイル）が膨大な数となろうと、顧客の提示した髪形の施術方法を、髪形（ヘアスタイル）情報に連動した技術情報を検索することにより素早く知ることができる。
【００２４】
請求項２記載のこの発明によれば、選択した髪形に対して備え付きのカメラで撮影した自己の顔を重ねあわせて合成画像を作成する手段は、データベースサーバから髪型画像データを画像フレームデータとして顧客側端末にダウンロードして顧客側端末画面に表示し、髪型画像フレームに合わせて自己の顔を重ね合わせて写真を撮ることができる画像フレーム重ね合わせ手段によるものであることを要旨とするものである。
【００２５】
請求項２記載のこの発明によれば、写真を撮る操作の段階においてカメラの角度や位置を調整することで、選択した髪型画像フレームに合わせて自己の顔を重ね合わることができ、コンピュータ内で画像合成するような方法と比べて簡単に、しかも綺麗に選択した髪型と顧客の顔を合わせることができる。
【００２６】
【発明の実施の形態】
以下、図面についてこの発明の実施形態を詳細に説明する。図１はこの発明の髪形選定システムの１実施形態を示す概略説明図、図２は髪形（ヘアスタイル）データベースと技術データベースのデータベース構成を表した階層図、図３は顧客の携帯電話等のモバイル端末の使用画面説明図、図４は美容師が閲覧する美容師側端末の使用画面説明図である。
【００２７】
この発明は、図１で示すように、データベースシステム４とこのデータベースシステム４にインターネット１等を介して接続できる顧客側端末と、同じく前記データベースシステム４にインターネット１等を介して接続できる美容師側端末とからなり、一例として、顧客側端末はモバイル端末としてカメラ２ａを備えた携帯電話２とする。この顧客側端末はノートパソコンその他の電子手帳タイプのモバイル端末でもよい。
【００２８】
美容師側端末はパソコン３であり、これもデスクトップ型、ノートパソコン型その形式のいずれかを問わない。この美容師側端末を顧客側端末のモバイル端末と同じく、携帯電話型とすることも可能である。
【００２９】
データベースシステム４は、ＷＷＷサーバ５、ヘアスタイルデータベース８と技術データベース９を格納するデータベースサーバ６、顧客用閲覧プログラム１０と美容院用閲覧プログラム１１を格納するプログラムサーバ７からなり、顧客１２は携帯電話２を使ってインターネット１を介してデータベースシステム４に接続し、顧客用の閲覧画面１４から自分の気に入ったヘアスタイルを選択する。
【００３０】
美容師１３は、美容院のパソコン３や携帯電話からインターネット１を介してデータベースシステム４に接続し、美容院用の閲覧画面１５より顧客の提示したヘアスタイルを探し出し、施術方法を確認する。
【００３１】
図２は、ヘアスタイルデータベース８と技術データベース９のデータベース構成を表した階層図であり、顧客１２と美容師１３はヘアスタイルデータベース８の情報を共有する。顧客１２はトップページからメニュー画面、カタログ画面、ヘアスタイル表示画面と進んでいくが、任意の画面の途中で顧客ＩＤとパスワードを入力させ、課金をすることも可能である。
【００３２】
美容師は、美容院用の閲覧画面１５より、階層順に画面を表示させることもでき、任意の画面へ直接移動することもできる。ヘアスタイルデータベース８に連動した技術データベース９は、美容院用の閲覧画面１５からでしか閲覧することはできない。
【００３３】
顧客１２の携帯電話２は、多数を表示する髪形表示手段、表示した多数の髪形から所望のものを選択して表示する手段、選択した髪形に対して備え付きのカメラで撮影した自己の顔を重ねあわせて合成画像を作成し、これを表示する手段とを有する。
【００３４】
図３に示すように、顧客１２は携帯電話２を使ってインターネット１経由でＷＷＷサーバ５にあるヘアスタイルサイトのトップページ画面１６へ接続し、ＥＮＴＥＲボタン２２を選択してサイト内へ入ると、携帯電話２の画面に髪形（ヘアスタイル）のメニュー画面１７が開かれ、多数の髪形（ヘアスタイル）が表示される。このメニュー画面１７については、サイト代表画面、文字による項目選択画面等を前に付加してもよく、特に定まったパターンはない。
【００３５】
メニュー画面１７は、一例として多数の髪形（ヘアスタイル）をジャンル別に分け、パーティーヘア、ロングヘア、ショートヘア等のメニュー２３を構成する項目が表示される。このメニュー２３は文字情報や画像情報として表示され、画面の集合体として構成してもよい。また、一画面に表示できないものはスクロールにより画面を変更可能である。
【００３６】
顧客１２はこのような表示した多数の髪形を表示するヘアスタイルのメニュー２３から所望の項目を選択し（例えばパーティーヘアの項目など）、その結果、カタログ画面１８が開かれる。
【００３７】
カタログ画面１８は、メニュー２３を構成する各項目をさらに展開したものであり、各項目毎に髪形（ヘアスタイル）が集められ、髪形（ヘアスタイル）毎に画面が分割されており、ヘアスタイル画像２８とヘアスタイルＩＤ２７が表記されている。
【００３８】
なお、カタログ画面１８の表示後に、顧客ＩＤ２４とパスワード２５の入力を要求する個人情報入力画面１９を開く。顧客ＩＤ２４とパスワード２５を持っていない場合は、メンバー登録ボタン２６を選択し、ここでは図示しないがメンバー登録画面にて顧客ＩＤ２４とパスワード２５を発行する。同時に課金を行う。
【００３９】
カタログ画面１８で顧客１２が気に入ったヘアスタイルを選択すると、ヘアスタイル表示画面２０が開き、そこに選択した髪形（ヘアスタイル）が表示される。この場合の画像は、モデルの顔の画像である。
【００４０】
顧客１２は携帯電話２のカメラ２ａで自分の顔を撮影し、その携帯電話２に取り込み、前記選択した髪形（ヘアスタイル）の画像はモデルの顔と自分の顔とを入れ替えた合成画像を作成する。
【００４１】
このように合成画像作成の手段は種々考えられるが、図７に示すように、顧客１２が、ここで自分の顔の画像４５を携帯電話２からプログラムサーバ７に送信すると、プログラムサーバ７内にある画像合成プログラム４７は選択したヘアスタイル画像２８と顧客１２の自分の顔の画像４５を合成し、合成した画像４６を顧客１２の携帯電話２へ送信することにより、行なわれる。
【００４２】
合成の方法の一例としては、まず顧客１２はヘアスタイル表示画面２０にてヘアスタイル画像２８を選択する。次にカタログ画面終了ページ２１に進み画像合成ボタン４４を選択し、携帯電話２のカメラ２ａにより撮影した自分の顔の画像４５を、プログラムサーバ７にある画像合成プログラム４７へ送る。
【００４３】
画像合成プログラム４７は送られてきた顧客１２の自分の顔の画像４５を合成に適したサイズにリサイズする。ヘアスタイル画像２８には、髪の部分のみの透過ＧＩＦフレーム図である髪型画像フレーム図５０データが一緒に登録してあり、リサイズした顧客１２の自分の顔の画像４５と、髪型画像フレーム図５０とを違和感無く合成する。
【００４４】
なお、ヘアスタイル画像２８の髪のカラーリングは明るさや色を変えることも可能とする。
【００４５】
こうして作られた合成した画像４６を、画像合成プログラム４７は顧客１２の携帯電話２へ送信する。
【００４６】
そして、顧客１２はプログラムサーバ７が送ってきた合成した画像４６を見て、これが気に入れば、携帯電話２に保存する。気に入らなければ、保存せずに、他のヘアスタイルの選択に移行する。
【００４７】
保存は画像保存ボタン２９により行い、他のヘアスタイルを見たいときはメニューに戻るボタン３０による。３１は終了ボタンである。
【００４８】
合成画像作成の手段としては、その他にも図８に示すように、データベースサーバ６から髪型画像データ５１を画像フレームデータとして顧客側端末である携帯電話２にダウンロードして画面２ｂに表示し、この髪型画像フレームに合わせて自己の顔を重ね合わせて写真を撮ることができる画像フレーム重ね合わせ手段による。
【００４９】
すなわち、データベースサーバ６より、髪型画像データ５１を選択して携帯電話２にダウンロードし、この髪型画像データ５１を携帯電話２の画面２ｂに表示して固定させる。
【００５０】
ついで、この髪型画像データ５１を見ながら、カメラ２ａで自分の顔の画像４５を画面２ｂに写しだし、髪型画像データ５１の髪型画像フレームに合わせ込む。この合わせ込み作業は、カメラ２ａの位置や角度を調整することで行う。
【００５１】
図９に示すように、髪型画像データ５１と自分の顔の画像４５がずれたり自分の顔の画像４５が大きすぎたあるいは小さすぎたならば、携帯電話２のカメラ２ａの位置に注意し、携帯電話２の表示画面を見ながら修正すれば簡単に合わせることができる。
【００５２】
自分の顔の画像４５と髪型画像データ５１がうまく重ね合ったところでシャッターを押して合成した画像４６を作成保存し、合成した画像４６はデータベースサーバ６へ送信してもよい。失敗した位置でシャッターを押しても、再度慎重に撮影すればよい。
【００５３】
このように顧客１２は、合成した画像４６または選択したヘアスタイル画像２８を携帯電話２へ保存あるいはヘアスタイルＩＤ２７を記録し、ヘアスタイルの施術を行う美容院へ赴き、担当の美容師１３に携帯電話２に保存した合成した画像４６またはヘアスタイル画像２８を提示するか、ヘアスタイルＩＤ２７を伝える。
【００５４】
美容院へ赴く前に予約を入れる場合には、希望するヘアスタイルＩＤ２７をあらかじめ伝えておくということもできる。そうすると美容師１３はそのヘアスタイルの施術にかかる時間、必要材料をあらかじめ把握することができる。
【００５５】
美容師１３は、顧客１２より提示された合成した画像４６またはヘアスタイル画像２８を見て、施術方法を知りたい時は、美容院のパソコン３からインターネット１を介してデータベースシステム４に接続し、美容院用の閲覧画面１５より顧客の提示したヘアスタイルを探し出し、施術方法を確認する。
【００５６】
図４に示すように、美容師１３は美容院のパソコン３からインターネット１を介してデータベースシステム４に接続し、ＷＷＷサーバ５にある美容師用のヘアスタイルサイトのトップページ画面３２へ接続し、美容院ＩＤ３５と美容院パスワード３６を入力し、サイト内へ入る。
【００５７】
次に、メニュー画面と検索画面のページ３３が開く。ここで、顧客１２より提示されたヘアスタイルを、メニューから、あるいはヘアスタイルＩＤ２７を元に検索して探す。
【００５８】
顧客１２の希望するヘアスタイルが見つかったら、技術情報画面３４を開く。このページはヘアスタイル表示画面３８、必要材料画面３９、展開図画面４０、施行方法画面４１からなる。美容師１３はここで顧客１２の希望するヘアスタイルの施術方法を理解し、顧客１２にイメージ通りのヘアスタイルを提供することができる。
【００５９】
必要材料画面３９には、材料メーカーの宣伝ページをリンクした広告バナー４３を張るなど、広告収入を得る構成にすることもできる。
【００６０】
なお、この技術情報画面３４は、印刷できないようにプログラムするのが望ましい。あるいは会員になれば条件を限定し一定のプリントアウトは可能にするという方法も考えられる。
【００６１】
また普通の髪型だけでなく、メニューに「遊び」の項目を作り、例えばちょんまげやアフロヘアー、モヒカンなどの髪型を登録し、顧客１２が自分の顔の画像４５を合成し、遊ぶこともできる。
【００６２】
なお、顧客１２はヘアスタイル情報の他に、メニュー画面１７のメニュー２３から「髪の悩み」を選び、自分の悩みに合った項目を選んでいくことにより、髪の悩みに対する解決方法の情報を得ることもできる。図６は「髪の悩み」のコンテンツの構成を表したものである。
【００６３】
図６に示すように、顧客１２がメニュー画面１７よりメニュー２３の「髪の悩み」の項目を選ぶと、対策画面４８ａ、４８ｂと進むことができる。対策画面４８ａ、４８ｂには広告バナー４３を張るなど、広告収入を得る構成にすることもできる。
【００６４】
解決方法の情報ページには、悩みに適した商品の広告バナー４３より、商品注文画面４９をリンクすれば、美容院に赴かなくともネット上で商品の注文をすることができる。こうすることによって顧客１２は美容院に赴かなくともネット上で商品の注文をすることができ、美容院は商品の在庫を抱えずに済む。特に近くに商品を購入できるような美容院が無い地方の顧客にとっては、お店で手に入れることは難しいので、ネットで購入できるのは便利である。
【００６５】
また、メニュー２３に「ショッピングモール」を設け、インターネット・ショッピングモールのコンテンツを作成することもできる。インターネット・ショッピングモールとはインターネット上にある商店街のようなもので、顧客１２は自分の所持する顧客側端末からヘアスタイル情報を検索するだけでなく、インターネット・ショッピングモールへアクセスすることにより、図示は省略するがヘアケア製品を検索して商品情報を収集し、購入したいヘアケア製品の注文を顧客側端末にて行うこともできる。
【００６６】
【発明の効果】
以上述べたようにこの発明の髪形選定システムは、面倒な手続なしに、いつどこからでも、多数の髪形（ヘアスタイル）がヘアスタイルカタログを閲覧する感覚で閲覧でき、そして選定する髪形が自己に似あうか否かの自己カウンセリングもその場で行うことができ、また、顧客の指名する美容師が、顧客が選定した希望するヘアスタイルの施行方法を知らなくても、顧客が提示した髪形のデータ情報から、その必要な技術情報を与えて顧客の希望する髪形を施術することを可能にできるものである。
【００６７】
また自己を写すことが出来る携帯端末を使用すれば、髪型画像フレームに自分の顔の画像４５を合わせて合成した画像を簡単に作ることが出来るものである。
【００６８】
副次的な効果として、どのページにアクセスが多かったかをカウントすることにより、どのヘアスタイルがどの年代層に人気があるかを分析することができる。
【００６９】
なおこのシステムはヘアスタイルのみならず、ネイルアート、眉毛や睫毛アート等、施術が作品として表現される分野に関して、施術によって得られる作品と施術方法をデータベース化することができる他の業界にも応用することができる。
【図面の簡単な説明】
【図１】この発明の髪形選定システムの１実施形態を示す概略説明図である。
【図２】ヘアスタイルデータベースと技術データベースのデータベース構成を表した階層図である。
【図３】この発明の髪形選定システムの顧客の携帯電話での作業手順を示す説明図である。
【図４】この発明の髪形選定システムの美容師の閲覧作業手順を示す説明図である。
【図５】この発明の髪形選定システムの髪型展開図の１例である。
【図６】この発明の髪形選定システムの髪の悩みのコンテンツ構成の階層図である。
【図７】この発明の髪形選定システムの自分の顔の画像と選択した髪型の画像を合成する手段の一例を示した説明図である。
【図８】この発明の髪形選定システムの自分の顔の画像と選択した髪型の画像を合成する手段の他例を示した説明図である。
【図９】この発明の髪形選定システムの自分の顔の画像と選択した髪型の髪型画像フレームの合成作業を示す説明図である。
【符号の説明】
１…インターネット              ２…携帯電話
２ａ…カメラ                    ２ｂ…画面
３…パソコン
４…データベースシステム        ５…ＷＷＷサーバ
６…データベースサーバ          ７…プログラムサーバ
８…ヘアスタイルデータベース    ９…技術データベース
１０…顧客用閲覧プログラム      １１…美容院用閲覧プログラム
１２…顧客                      １３…美容師
１４…顧客用の閲覧画面          １５…美容院用の閲覧画面
１６…ヘアスタイルサイトのトップページ画面
１７…メニュー画面              １８…カタログ画面
１９…個人情報入力画面          ２０…ヘアスタイル表示画面
２１…カタログ画面終了ページ    ２２…ＥＮＴＥＲボタン
２３…メニュー                  ２４…顧客ＩＤ
２５…パスワード                ２６…メンバー登録ボタン
２７…ヘアスタイルＩＤ          ２８…ヘアスタイル画像
２９…画像保存ボタン            ３０…メニューに戻るボタン
３１…終了ボタン
３２…美容院用ヘアスタイルサイトのトップページ画面
３３…メニュー画面と検索画面のページ
３４…技術情報画面              ３５…美容院ＩＤ
３６…美容院パスワード          ３７…検索ボタン
３８…ヘアスタイル表示画面      ３９…必要材料画面
４０…展開図画面                ４１…施術方法画面
４２…髪型展開図                ４３…広告バナー
４４…画像合成ボタン            ４５…自分の顔の画像
４６…合成した画像              ４７…画像合成プログラム
４８ａ、４８ｂ…対策画面        ４９…商品注文画面
５０…髪型画像フレーム図        ５１…髪型画像データ
【図１】
2005034162.tif 000003
【図２】
2005034162.tif 000004
【図３】
2005034162.tif 000005
【図４】
2005034162.tif 000006
【図５】
2005034162.tif 000007
【図６】
2005034162.tif 000008
【図７】
2005034162.tif 000009
【図８】
2005034162.tif 000010
【図９】
2005034162.tif 000011